(57)【要約】【課題】特定のポリグリセリン誘導体からなる顔料分散剤を配合することにより、初期分散性、長期保存安定性に優れた水性インク又は水性塗料を得ることができ、特にインクジェット記録用顔料インクとしたときの吐出特性、印字特性に優れたインクを提供する。【解決手段】水酸基当量から得られる平均重合度が２〜１０のポリグリセリンとアルキレンオキサイド（２〜１５０モル）及び炭素数が４〜２４の直鎖状若しくは分岐状の飽和若しくは不飽和の脂肪酸又は芳香族カルボン酸を反応して得られる生成物であり、ＨＬＢが１２〜１９の範囲にある顔料分散剤を、顔料に対して０．０１〜７０重量％配合する。【特許請求の範囲】
【請求項１】
平均重合度が２〜１０のポリグリセリンとアルキレンオキサイド（２〜１５０モル）及び炭素数が４〜２４の直鎖状若しくは分岐状の飽和若しくは不飽和の脂肪酸又は芳香族カルボン酸を反応して得られる生成物であり、ＨＬＢが１２〜１９の範囲である水性インク又は水性塗料用顔料分散剤。
【請求項２】
顔料に対して０．０１〜７０重量％配合することで良好な顔料分散性能を示す請求項１記載の水性インク又は水性塗料用顔料分散剤。
【発明の詳細な説明】
【技術分野】
【０００１】
本発明は、顔料を用いた水性インク又は水性塗料に関するものであり、詳しくは初期分散性、長期保存安定性に優れた水性インク又は水性塗料を得ることができ、特にインクジェット記録用顔料インクとしたときの吐出特性、印字特性に優れたインクを提供する顔料分散剤に関するものである。
【背景技術】
【０００２】
一般に水を主成分とする液媒体中に顔料を分散してなる水性顔料分散液は、顔料、水、有機溶剤、樹脂、アルカリ剤などを配合して分散機を用いて分散処理を行うのが一般的である。特にインクジェット記録用顔料インクを製造するための水性顔料分散液は、水溶性高分子化合物、界面活性剤などの分散剤を用いて顔料を水に分散して調製される。調製された水性顔料分散液は、保存安定性、吐出安定性などを確保するため、高度な凝集安定性や沈降安定性が要求される。顔料インクの凝集安定性や沈降安定性は、ほぼ使用する分散剤の性能により決定される。これまでにノニオン、アニオン型界面活性剤、親水性ブロックと疎水性ブロックを有するブロック共重合体、樹脂粒子を含有する樹脂エマルションなどの様々な分散剤が試みられてきた（例えば、特許文献１〜３参照）。しかしながら、従来の分散剤では、インクジェット記録用顔料インクとして適正な粘度にすると再分散性に乏しく、凝集安定性や沈降安定性を十分に確保することが困難となり、インクジェットノズルの目詰まりが生じ吐出安定性が悪いものであった。また、分散剤濃度を増して顔料インクの凝集安定性や沈降安定性を確保するとインク粘度が上昇する、サーマルヘッドの場合焦げ付きが発生するなどの問題が起こり、インクの安定性とインクとしての性能を両立させることが困難であった。
【特許文献１】特開平１−２０４９７９号公報
【特許文献２】特開平９−２１７０３２号公報
【特許文献３】特開平１０−２７９８７０号公報
【発明の開示】
【発明が解決しようとする課題】
【０００３】
本発明が解決しようとする課題は、初期分散性、長期保存安定性に優れた水性インク又は水性塗料を得ることであり、特にインクジェット記録用顔料インクの吐出安定性を改善しノズルの目詰まりを防止することである。
【課題を解決するための手段】
【０００４】
本発明者らは、上記問題を解決するため鋭意検討した結果、平均重合度が２〜１０のポリグリセリンとアルキレンオキサイド（２〜１５０モル）及び炭素数が４〜２４の直鎖状若しくは分岐状の飽和若しくは不飽和の脂肪酸又は芳香族カルボン酸を反応して得られる生成物であり、ＨＬＢが１２〜１９の範囲である分散剤を用い、顔料に対して０．０１〜７０重量％配合することで、上記課題が解決し、特にインクジェット記録用顔料インクの初期分散性、長期保存安定性、吐出安定性が飛躍的に向上することを見出し本発明に到達した。
【発明の効果】
【０００５】
本発明の顔料分散剤を添加することにより、初期分散性、長期保存安定性に優れた水性顔料インク又は塗料が得られる。また、本発明によれば、特に初期分散性、長期保存安定性、吐出特性、印字特性に優れたインクジェット記録用顔料インクが得られる。
【発明を実施するための最良の形態】
【０００６】
以下に本発明を詳細にする。
【０００７】
本発明の顔料分散剤は、水酸基当量から得られる平均重合度が２〜１０のポリグリセリンとアルキレンオキサイド（２〜１５０モル）及び炭素数が４〜２４の直鎖状若しくは分岐状の飽和若しくは不飽和の脂肪酸又は芳香族カルボン酸を反応して得られる生成物であり、そのＨＬＢは１２〜１９のものが良好であり、中でも１５〜１８．５のものがより好ましい。尚、本発明で示す分散剤のＨＬＢは、次に示すグリフィンの式より算出したものである。
【０００８】
【数１】
2005060681.tif 000002
【０００９】
本発明の顔料分散剤に使用するポリグリセリンは、水酸基当量から得られる平均重合度が２〜１０のものであるが、この範囲のものであれば特に限定しない。
【００１０】
本発明の顔料分散剤に使用するアルキレンオキサイドは、エチレンオキサイド、プロピレンオキサイド、ブチレンオキサイドなどが挙げられるが、エチレンオキサイド若しくはプロピオンオキサイドが好ましく、エチレンオキサイド、プロピレンオキサイドは単独でも併用しても良い。アルキレンオキサイドの付加単位数はポリグリセリン1モルに対して２〜３００モルのものが良好であり、中でも２〜１５０モルがより好ましい。
【００１１】
本発明の顔料分散剤に使用する脂肪酸は、炭素数が４〜２４の直鎖状若しくは分岐状の、及び飽和若しくは不飽和のいずれの脂肪酸でもよく、単独または混合で使用できる。具体的には、カプリル酸、オクチル酸、イソノナン酸、カプリン酸、ラウリン酸、ミリスチン酸、パルミチン酸、ステアリン酸、ヒドロキシステアリン酸、オレイン酸などが挙げられる。
【００１２】
本発明の顔料分散剤に使用する芳香族カルボン酸としては、安息香酸が挙げられ、縮合多環式芳香族カルボン酸としては、１，４−ナフタレンジカルボン酸、２，６−ナフタレンジカルボン酸、α−ナフタレンカルボン酸、β−ナフタレンカルボン酸などが挙げられ又、アルキル、アルコキシ、ハロゲンなどの置換基を有する芳香族カルボン酸も含まれる。
【００１３】
本発明の顔料分散剤の具体例としては、ポリオキシエチレン（４０）ジグリセリルエーテルのステアリン酸エステル、ポリオキシエチレン（３０）ジグリセリルエーテルのステアリン酸エステル、ポリオキシエチレン（１２０）ジグリセリルエーテルのラウリン酸エステル、ジグリセリンステアリン酸エステルのポリオキシエチレン（３０）付加物、ポリオキシエチレン（２０）ジグリセリルエーテルのラウリン酸エステル、ポリオキシエチレン（４０）テトラグリセリルエーテルのステアリン酸エステル、ポリオキシエチレン（４０）テトラグリセリルエーテルの安息香酸エステルなどが挙げられる。
【００１４】
本発明の顔料分散剤を含有したインク、塗料は、前記分散剤を液媒体に事前に添加した後、顔料を添加する、あるいは液媒体と顔料を混合した後、前記分散剤を添加して、ボールミル、サンドミル、及びサンドグラインダーのようなメディアを用いた分散機を当業者が適切に使用する方法により顔料を分散させることにより調製される。
【００１５】
前記分散剤の添加量としては、顔料の重量に対し、通常０．０１〜７０重量％であり、１０〜７０重量％が好ましく、３０〜６０重量％がさらに好ましい。添加量が０．０１重量％以下では、分散安定化効果が小さく、７０重量％を越える場合は逆に凝集が生じたり
、粘度の増加が起こるためこの範囲が好ましい。
【００１６】
本発明で使用する顔料の種類は特に限定されないが、代表的なものを例示すると、カーボンブラック、チタン白、炭酸カルシウムなどの無機系顔料、キナクリドン系顔料、キナクリドンキノン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料またはアゾ系顔料などの有機系顔料が挙げられる。
【００１７】
本発明の顔料分散剤を含有するインクジェット記録用インク等は、必要に応じて水溶性有機溶剤、水溶性樹脂、有機アミン、界面活性剤、ｐＨ調整剤、キレート化剤、防腐剤、粘度調整剤、消泡剤などを添加することができる。
【００１８】
インクジェット用インクに用いられる液媒体としては水又は水と水溶性有機溶剤の混合溶媒が好ましい。水溶性有機溶剤としては、例えば、メチルアルコール、エチルアルコール、ｎ−ブチルアルコール、イソブチルアルコール、ｔｅｒｔ−ブチルアルコール、ｎ−プロピルアルコール、インプロピルアルコールなどのアルコール類；ジメチルホルムアミド、ジメチルアセトアミドなどのアミド類；アセトン、メチルエチルケトンなどのケトン類；テトラヒドロフラン、ジオキサン、エチレングリコールメチルエーテル、エチレングリコールエチルエーテル、ジエチレングリコールメチルエーテル、ジエチレングリコールエチルエーテル、トリエチレングリコールモノメチルエーテル、トリエチレングリコールモノエチルエーテルなどのエーテル類；エチレングリコール、プロピレングリコール、ブチレングリコール、ジエチレングリコール、トリエチレングリコール、１，２，６−へキサントリオール、チオジグリコール、ポリエチレングリコール、ポリプロピレングリコール、グリセリン、ジグリセリン、ポリグリセリンなどの多価アルコール類；Ｎ−メチルピロリドン、１，３−ジメチル−２−イミダゾリジノンなどが挙げられる。
【００１９】
インクジェット記録用インクに必要に応じて添加する水溶性樹脂としては、ポリビニルアルコール類、ポリビニルピロリドン類、ポリアクリル酸、スチレン−アクリル酸共重合体、スチレン−メタクリル酸共重合体、スチレン−メタクリル酸−アクリル酸エステル共重合体、スチレン−α−メチルスチレン−アクリル酸共重合体、若しくはスチレン−α−メチルスチレン−アクリル酸−アクリル酸エステル共重合体などのスチレンアクリル酸樹脂、スチレン−マレイン酸共重合体、スチレン−無水マレイン酸共重合体、アクリル酸−アクリルニトリル共重合体、酢酸ビニル−アクリル酸エステル共重合体、若しくはアクリル酸−アクリル酸エステル共重合体などのアクリル系樹脂、ビニルナフタレン−アクリル酸共重合体、ビニルナフタレン−マレイン酸共重合体、及び酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体及びそれらの塩が挙げられる。
【００２０】
インクジェット記録用インクに必要に応じて添加する有機アミンとしては、例えば、エタノールアミン、ジエタノールアミン、トリエタノールアミン、Ｎ−メチルエタノールアミン、Ｎ−エチルジエタノールアミン、２−アミノ−メチルプロパノール、２−アミノ−２−メチルプロパノール、２−エチル−２−アミノ−１，３−プロパンジオール、２−アミノエチルエタノールアミン、トリス（ヒドロキシメチル）アミノメタン、モルフォリン、アンモニアなどが挙げられる。
【００２１】
本発明の顔料分散剤を含有するインクジェット記録用インクを用いる場合には、インクジェット記録方式を用いたプリンターであれば、如何なるプリンターにおいても用いることができる。例えば、プリンターヘッドに配設された発熱抵抗素子のヒーターなどによる熱エネルギーを用いて記録する熱ジェット記録方式プリンター、及びプリンターヘッドに配設された圧電素子を用いて記録を行う圧電素子記録方式プリンターのいずれにも使用することができる。
【００２２】
以下、実施例及び比較例により本発明を具体的に説明するが、本発明の範囲はこれらの実施例により限定されるものではない。
【実施例】
【００２３】
＜実施例１〜６、比較例１〜３＞
シアン顔料（Ｃ.I. ピグメントブルー １５：３）２０重量部、後に示す分散剤８重量部、イオン交換水７３重量部を粒径１．０ｍｍのジルコニアビーズを使ってサンドミルで５時間分散して分散液を得た。次いで、この分散液２５重量部を撹拌しながら、ジエチレングリコール８重量部、グリセリン５重量部およびイオン交換水６２重量部を３０分間かけて滴下後、トリエタノールアミンを加えて、ｐＨを８. ０になるように調製して、インクジェト記録用インクを得た。
【００２４】
上記インクジェット記録用インクの保存安定性、再分散性及びインクジェットノズル目詰まりを下記評価方法に従い測定した。その結果を表1に示した。
（１）保存安定性の評価
保存安定性は、得られたインクを蓋付きの容器に入れ、初期の粒子径及び粘度と５０℃、１ヶ月間放置後の粒子径及び粘度を測定し評価を行った。粒子径は、ＭＩＣＲＯＴＲＡＣＵＰＡ１５０（日機装株式会社製）を用いて測定した。
（２）再分散性の評価
再分散性は、遠心機で２５００Ｇ、３時間遠心処理し、強制的に沈降させたインクで評価した。
○：顔料が容易に再分散する
×：顔料の再分散が困難            
（３）ノズルの目詰まりの評価
ノズルの目詰まりは、インクジェットプリンターで一定量の文字を印字後、キャッピングをしない状態で５０℃、７日間放置した後、ノズル目詰まりの回復のためのクリーニング操作を行い、何回の操作回数で正常な印字が可能かを判定した。
○：１〜３回のクリーニング操作で正常な印字ができた場合
△：４〜６回のクリーニング操作で正常な印字ができた場合
×：７回以上のクリーニング操作で正常な印字ができた場合
【００２５】
本実施例及び比較例評価に使用した分散剤を次に示す。
「分散剤１」ポリオキシエチレン（３０）ジグリセリルエーテルのステアリン酸エステル
（ＨＬＢ１６．８）
「分散剤２」ポリオキシエチレン（３０）ジグリセリルエーテルのラウリン酸エステル（
ＨＬＢ１７．０）
「分散剤３」ポリオキシエチレン（２０）ジグリセリルエーテルのラウリン酸エステル（
ＨＬＢ１６．１）
「分散剤４」ポリオキシエチレン（１２０）ジグリセリルエーテルのラウリン酸エステル
（ＨＬＢ１８．１）
「分散剤５」ジグリセリンモノステアレートのポリオキシエチレン（３０）付加物（ＨＬ
Ｂ１６．８）
「分散剤６」ポリオキシエチレン（４０）テトラグリセリルエーテルのステアリン酸エス
テル（ＨＬＢ１７．２）
「分散剤７」ポリオキシエチレン（１３）ジグリセリルエーテルのラウリン酸エステル（
ＨＬＢ１１．５）
「分散剤８」ポリオキシエチレン（１５）ノニルフェニルエーテル（ＨＬＢ１８．０）
「分散剤９」ポリオキシエチレン（２０）ソルビタンモノオレート（ＨＬＢ１５．０）
【００２６】
【表１】
2005060681.tif 000003
【産業上の利用可能性】
【００２７】
本発明の顔料分散剤を配合した水性顔料分散液は、初期分散性、長期保存安定性、吐出安定性が飛躍的に向上するため、通常の水性ボールペン等の筆記具用インクや水性塗料、特にインクジェット記録用顔料インクとして好適に用いることができる。